(57)【要約】【課題】各種電子機器の操作パネルに用いられるパネルスイッチ用の可動接点体に関し、軽快なクリック感が得られるものを提供することを目的とする。【解決手段】ベースシート２１の上面側に、ベースシート２１の厚みを貫通しない深さでスリット２２を設けたものとし、そのスリット２２が、下面の粘着層２で保持した円形の可動接点３の中心を仮想中心とした放射状に等角の１２０度間隔の３ヶ所の位置で上記可動接点の輪郭部を横断するように設けられた可動接点体２３の構成とした。【選択図】図１
2008177006.tif 000002
【特許請求の範囲】
【請求項１】
絶縁フィルム製のベースシートの下面に備えた粘着層により下方開口のドーム形状に形成された可動接点の上面を被着保持して構成され、上面に一対の固定接点が設けられた絶縁基板に上記ベースシートの粘着層により貼り付けられて、上記一対の固定接点と上記可動接点とによりパネルスイッチを構成するための可動接点体であって、上記可動接点を被着した位置の上記ベースシートの上面に素材厚みを貫通しないスリットが設けられていることを特徴とする可動接点体。
【請求項２】
スリットが、ドーム形状の可動接点の中心を仮想中心とする等角放射状に少なくとも３ヶ所の位置で上記可動接点の輪郭部を横断するように設けられている請求項１記載の可動接点体。
【請求項３】
スリットが、可動接点の輪郭部に沿って不連続に複数設けられている請求項１記載の可動接点体。
【発明の詳細な説明】
【技術分野】
【０００１】
本発明は、各種電子機器の操作パネルに用いられるパネルスイッチ用の可動接点体に関するものである。
【背景技術】
【０００２】
近年、各種電子機器の操作パネルに用いられるパネルスイッチは、弾性金属板製のドーム形状をした可動接点を下面に備えた粘着層に被着した可動接点体を用いて構成したものが、薄型で操作時に軽快なクリック感が得られることから好んで用いられており、携帯電話機を始めとした携帯用電子機器の普及と共にその需要は益々増加している。
【０００３】
このような従来の可動接点体について、図６〜図９を用いて説明する。
【０００４】
図６は従来の可動接点体の外観図、図７は同要部断面図、図８は同実装状態の要部断面図、図９は同動作状態を示す要部断面図である。
【０００５】
図６、図７において、１は絶縁フィルム製のベースシートで、その下面全面に粘着層２が設けられている。３は下面開口の円形ドーム形状に形成された弾性金属薄板製の可動接点で、そのドーム形状の上面を上記ベースシート１の粘着層２で被着保持されて可動接点体４が構成されている。なお、可動接点３は、図示しない電子機器の操作部に応じた所定位置に複数個が配置されている。
【０００６】
そして、図８に示すように、上面に中央固定接点１２Ａと周辺固定接点１２Ｂを一対とする複数対の固定接点１２が上記電子機器の操作部に応じた所定位置に配設された絶縁基板１１面に、上記可動接点体４は、ベースシート１下面の粘着層２により貼り付けられている。可動接点３は、外周下端が上記周辺固定接点１２Ｂ上に載置され、押圧操作されていない通常状態で、ドーム形状の頂点部が中央固定接点１２Ａの上方に対峙しており、この一対の固定接点１２と上記可動接点３とによりスイッチが構成されている。そして、ベースシート１を介して可動接点３の中央部上方に位置した押圧部１３Ａが突設された押しボタン１３が配されて、複数のスイッチを備えたパネルスイッチが構成されている。
【０００７】
また、このように構成されたパネルスイッチは、ベースシート１下面全面に備えられた粘着層２により絶縁基板１１上に貼り付けられているため、個々のスイッチが外気から遮断されて、防塵、防滴性に優れているという特徴も備えている。
【０００８】
以上の構成において、その動作は、まず押しボタン１３を押圧するとその下面の押圧部１３Ａがベースシート１を介して可動接点３のドーム形状の頂点部を押圧する。そして、その押圧力が可動接点３の弾性変形力を超える押圧力になると、図９に示すように、可動接点３の上方に凸形のドーム形状部分がクリック感を伴って、下方に凸形に弾性反転し、ドーム形状の頂点部下面が対峙していた中央固定接点１２Ａに接触してスイッチオンとなる。
【０００９】
次に、押しボタン１３に加えていた押圧力を解除していき、可動接点３の弾性復元力より小さい押圧力になると、クリック感を伴って、下方に凸形に弾性変形していたドーム形状部分が元の上方に凸形のドーム形状に復元し、図８の通常状態であるスイッチオフとなる。
【００１０】
なお、この出願の発明に関連する先行技術文献情報としては、例えば、特許文献１が知られている。
【特許文献１】実開平６−７７１３２号公報
【発明の開示】
【発明が解決しようとする課題】
【００１１】
しかしながら、上記従来の可動接点体４においては、可動接点３を押圧操作する際に、粘着層２を有するベースシート１を介して弾性変形および弾性復元の動作を行うもののため、可動接点３の形状に沿うドーム形状となったベースシート１の剛性が影響し、可動接点３を直接押圧操作する場合に比べて軽快なクリック感を鈍くするという課題があった。
【００１２】
本発明は、このような従来の課題を解決するものであり、可動接点を被着保持したベースシートの影響が少なく、軽快なクリック感が得られる可動接点体を提供することを目的とする。
【課題を解決するための手段】
【００１３】
上記目的を達成するために本発明は、以下の構成を有するものである。
【００１４】
本発明の請求項１に記載の発明は、絶縁フィルム製のベースシートの下面に備えた粘着層により下方開口のドーム形状に形成された可動接点の上面を被着保持して構成され、上面に一対の固定接点が設けられた絶縁基板に上記ベースシートの粘着層により貼り付けられて、上記一対の固定接点と上記可動接点とによりパネルスイッチを構成するための可動接点体であって、上記可動接点を被着した位置の上記ベースシートの上面に素材厚みを貫通しないスリットが設けられていることを特徴とする可動接点体としたものであり、ベースシートに対して上記の特定箇所に貫通しないスリットを設けたものとすることにより、防塵、防滴性が確保されつつベースシートの剛性が軽減されたものにでき、軽快なクリック感が得られる可動接点体を提供できるという作用を有する。
【００１５】
請求項２に記載の発明は、請求項１記載の発明において、スリットが、ドーム形状の可動接点の中心を仮想中心とする等角放射状に少なくとも３ヶ所の位置で上記可動接点の輪郭部を横断するように設けられているものであり、スリットをベースシートの剛性が強く出る可動接点の輪郭部分に設け、かつ等角に少なくとも３ヶ所の位置で設けたので、可動接点周囲のベースシートの剛性が均一に軽減されて、より軽快なクリック感が得られるものにできるという作用を有する。
【００１６】
請求項３に記載の発明は、請求項１記載の発明において、スリットが、可動接点の輪郭部に沿って不連続に複数設けられているものであり、ベースシートの強く出やすい輪郭部に沿った部分の剛性を当該スリットにより軽減して軽快なクリック感が得られるものにできるという作用を有する。
【発明の効果】
【００１７】
以上のように本発明によれば、可動接点を被着保持したベースシートの影響が少なく、軽快なクリック感が得られる可動接点体を提供することができるという有利な効果が得られる。
【発明を実施するための最良の形態】
【００１８】
以下、本発明の実施の形態について、図１〜図５を用いて説明する。
【００１９】
なお、従来の技術の項で説明した構成と同一構成の部分には同一符号を付して、詳細な説明を簡略化する。
【００２０】
（実施の形態）
図１は本発明の一実施の形態による可動接点体の外観図、図２は同要部拡大図、図３は同図２中のＳ−Ｓ線での要部断面図、図４は同図２中のＳ−Ｓ線での実装状態を示す要部断面図であり、同図において、２１は下面全面に粘着層２が設けられたＰＥＴなどの絶縁フィルムからなる矩形のベースシートで、３は上方に膨らんだドーム形状に形成されたステンレスなどの弾性金属薄板からなる円形の可動接点であり、この可動接点３のドーム形状の上面が上記ベースシート２１の粘着層２に被着保持されて、図示しない電子機器の操作部に応じた所定位置に複数配置されている。
【００２１】
以上は、従来のものと同様であるが、本実施の形態によるものは、上記ベースシート２１の上面側に、このベースシート２１の厚みを貫通しない深さでスリット２２が設けられていることが異なっている。このスリット２２は、下面の粘着層２で保持した円形の可動接点３の中心を仮想中心とする放射状に等角の１２０度間隔の３ヶ所の位置で上記可動接点３の輪郭部を横断するように設けられており、本実施の形態による可動接点体２３は以上のように構成されている。
【００２２】
この可動接点体２３の実装状態は、図４にも示したように従来のものと同様であるが簡単に説明すると、上面に一対の固定接点１２を複数対設けた絶縁基板１１の上面に、ベースシート２１下面の粘着層２で貼り付けられて実装され、各可動接点３は、その外周下端が周辺固定接点１２Ｂ上に載り、ドーム形状の頂点部が中央固定接点１２Ａの上方に対峙して、一対の固定接点１２それぞれと各可動接点３とにより複数のスイッチが構成されている。そして、可動接点３の中央部上方となるベースシート２１上面に当接した押圧部１３Ａが突設された押しボタン１３が配されてパネルスイッチとして構成される。そして、このパネルスイッチにおいても、ベースシート２１下面全面に備えられた粘着層２によって当該可動接点体２３が絶縁基板１１上に貼り付けられて構成されているもののため、個々のスイッチが外気から遮断されて、防塵、防滴性も従来同様に確保されたものにできる。
【００２３】
次に、この可動接点体２３を用いて構成されたパネルスイッチの動作について説明する。まず、押しボタン１３を押圧していくと、押圧部１３Ａによりベースシート２１を介して可動接点３のドーム形状の頂点部が押し下げられていき、その弾性反転力を超える押圧力になると、クリック感を伴ってドーム形状部分が下方に凸形に弾性反転し、下方の中央固定接点１２Ａと可動接点３が接触してスイッチオンとなり、次に、押しボタン１３に加えていた押圧力を解除すると、下方に凸形に弾性反転していたドーム形状部分がクリック感を伴って、元の上方に凸形に弾性復元して、可動接点３と中央固定接点１２Ａとの接触がなくなりスイッチオフとなる。
【００２４】
このスイッチ動作において、ベースシート２１も粘着層２で被着保持した可動接点３のドーム形状に沿っているために可動接点３の弾性反転および弾性復元に合わせて変形するが、本実施の形態によるものは、ベースシート２１に対しベースシート２１が絶縁基板１１面に張り付いた平板状態となった位置からドーム形状となった位置までの可動接点３の輪郭部を横断するようにスリット２２を設けているため、スイッチ動作時にベースシート２１の剛性が強く出やすい部分に作用してその剛性を軽減するので軽快なクリック感が得られるものにできる。
【００２５】
そして、このスリット２２は、上述したように１２０度間隔の等角放射状に３ヶ所の位置で設けている。これは、ベースシート２１の膨出した部分の剛性を均等に軽減するために上記構成としたものであり、そのスリット数は３ヶ所より多くても良く、スリット２２作製上の都合に合わせて適宜決定すれば良い。好ましくは等角度間隔の位置に設けると良い。
【００２６】
なお、本実施の形態によるものは、ベースシート２１はＰＥＴ樹脂フィルムからなる素材厚みが１００μｍで粘着層２の厚みは２０μｍのものを採用し、スリット２２の深さは５０〜６０μｍとした。
【００２７】
このように本実施の形態によれば、円形の可動接点３の輪郭部を横断するように、等角放射状に設けた３ヶ所のスリット２２により、可動接点３のドーム形状に沿って膨出したベースシート２１の剛性を均等に軽減することができるため、可動接点３を直接押圧操作した際のクリック感に近い、軽快なクリック感を得ることができるものとして実現することができる。
【００２８】
また、３ヶ所のスリット２２の深さは、ベースシート２１の厚みを貫通しない深さで上面側に設けているため、絶縁基板１１上に貼り付けられた実装状態で、各スイッチ部を構成する可動接点３、一対の固定接点１２は外気と通じることもなく、防塵、防滴性も維持されるものにできる。
【００２９】
なお、上述したようにスリット２２を可動接点３の輪郭部を横断するように設けないで、図５の他のスリット形態を示す要部拡大図のように、可動接点体２６のベースシート２４の上面に、可動接点３の輪郭部に沿って周囲を不連続に取り巻くように２ヶ所にスリット２５をベースシート２４の厚みを貫通しない深さで設けて構成しても良い。
【００３０】
このスリット２５形状のものであっても、ベースシート２４が可動接点３のドーム形状に沿って膨出し始める部分に設けてあるため、ベースシート２４の剛性を軽減して、スイッチ動作時の軽快なクリック感が得られるものにできると共に、図示しない絶縁基板に実装された防塵、防滴性を維持したパネルスイッチを実現できる。なお、当該構成においてもスリット２５は等間隔で配することが好ましく、かつその数としては上記のもののみに特に限定されない。
【００３１】
なお、図示説明はしないが、上記ベースシート２１，２４下面の粘着層２を、可動接点３に対してそのドーム形状の中央部分のみで粘着保持し、その外周部分をリング状の非接着部とした上、隣り合う上記リング状の非接着部どうしを非接着部で連結した非接着部パターンを備えた形態のものに印刷形成するなどしてもよい。このようにすることにより、ベースシート２１，２４下面と絶縁基板１１とに挟持状態となった可動接点３の周囲に空気の流通路が確保され、可動接点３が押圧操作された際に、可動接点３と絶縁基板１１との間の空間に密閉された空気が他の押圧されていない可動接点３側に移動できるものにでき、空気の圧縮力による動作感触への影響をなくして、さらに良好な動作感触が得られるものとする際に好適である。
【００３２】
さらに、可動接点の形状は、円形に限られるものではなく、矩形、小判形などでも良く、その場合にもスリットは上述した場合と同様に、その輪郭部を横断するまたはベースシートの膨出し始める部分を含むように、少なくとも３ヶ所の位置で可動接点の中心を仮想中心とした等角位置の放射状に設けるか、あるいは、可動接点の輪郭部に沿った位置またはベースシートの膨出し始める部分を含むように、複数のスリットが不連続に取り巻くようにベースシートの上面位置に貫通しない深さに設けてあれば良い。
【産業上の利用可能性】
【００３３】
本発明による可動接点体は、可動接点を被着保持したベースシートの影響が少なく、軽快なクリック感が得られるものを提供することができるという有利な効果を有し、各種電子機器の操作パネルを構成する際等に有用である。
【図面の簡単な説明】
【００３４】
【図１】本発明の一実施の形態による可動接点体の外観図
【図２】同要部拡大図
【図３】同図２中のＳ−Ｓ線での要部断面図
【図４】同図２中のＳ−Ｓ線での実装状態を示す要部断面図
【図５】他のスリット形態を示す要部拡大図
【図６】従来の可動接点体の外観図
【図７】同要部断面図
【図８】同実装状態の要部断面図
【図９】同動作状態を示す要部断面図
【符号の説明】
【００３５】
２  粘着層
３  可動接点
１１  絶縁基板
１２  固定接点
１２Ａ  中央固定接点
１２Ｂ  周辺固定接点
１３  押しボタン
１３Ａ  押圧部
２１，２４  ベースシート
２２，２５  スリット
２３，２６  可動接点体
【図１】
2008177006.tif 000003
【図２】
2008177006.tif 000004
【図３】
2008177006.tif 000005
【図４】
2008177006.tif 000006
【図５】
2008177006.tif 000007
【図６】
2008177006.tif 000008
【図７】
2008177006.tif 000009
【図８】
2008177006.tif 000010
【図９】
2008177006.tif 000011